(57)【要約】【課題】ポイントサービスの個々の参加者に対して適切な処理を行ない、より多くの参加者に満足していただけるようなサービス環境を実現する。【解決手段】ポイントに応じて会員に複数のサービスを選択的に提供する情報処理装置であって、ポイントが所定の条件となるまでの期間をスタンプ管理サーバSVから取得し、取得した期間に基づいて当該会員に提供するサービスの内容を切換えるＣＰＵ32とを備える。【選択図】図１
2017041065.tif 000002
【特許請求の範囲】
【請求項１】
ポイントに応じて会員に複数のサービスを選択的に提供する情報処理装置であって、
ポイントが所定の条件になるまでの期間を取得する取得手段と、
上記取得手段で取得した期間に基づいて当該会員に提供するサービスの内容を切換えるサービス決定手段と、
を備えることを特徴とする情報処理装置。
【請求項２】
上記会員は複数段階のグレードに分類され、
上記サービス決定手段は、上記取得手段で取得した期間と当該会員のグレードと基づいて提供するサービスの内容を切換える
ことを特徴とする請求項１記載の情報処理装置。
【請求項３】
上記サービス決定手段で決定したサービスの内容に応じたクーポンを発行するクーポン発行手段をさらに備えることを特徴とする請求項１または２記載の情報処理装置。
【請求項４】
上記ポイントが所定の条件になるまでの期間は、上記ポイントが所定の回数付与されるまでの期間であることを特徴とする請求項１乃至３いずれか記載の情報処理装置。
【請求項５】
ポイントに応じて会員に複数のサービスを選択的に提供する装置の情報処理方法であって、
ポイントが所定の条件となるまでの期間を取得する取得工程と、
上記取得工程で取得した期間に基づいて当該会員に提供するサービスの内容を切換えるサービス決定工程と、
を有することを特徴とする情報処理方法。
【請求項６】
ポイントに応じて会員に複数のサービスを選択的に提供する装置が内蔵するコンピュータが実行するプログラムであって、上記コンピュータを、
ポイントが所定の条件となるまでの期間を取得する取得手段、及び
上記取得手段で取得した期間に基づいて当該会員に提供するサービスの内容を切換えるサービス決定手段、
として機能させることを特徴とするプログラム。
【発明の詳細な説明】
【技術分野】
【０００１】
本発明は、例えばポイントサービスを行なうシステムに好適な情報処理装置、情報処理方法及びプログラムに関する。
【背景技術】
【０００２】
ポイントサービスシステムにおいて、来店回数の多い上位の会員顧客に対して特別なポイント付与サービスを行なうことにより、ゲーム性を持たせて、顧客の来店意欲を促進し且つ店舗の売上げ増大を図ることを目的とした技術が提案されている。（例えば、特許文献１）
【先行技術文献】
【特許文献】
【０００３】
【特許文献１】特開２０１４−０５２７５５号公報
【発明の概要】
【発明が解決しようとする課題】
【０００４】
上記特許文献に記載された技術は、ゲーム性を持たせるために相対的な評価としてイベント期間中の来店回数の順位付けを行ない、イベント期間終了後に順位に基づくポイント付与を行なうようにしている。
【０００５】
したがって、イベントの参加者は来店回数が多くても、それより来店回数の多い他の参加者がいれば順位が下がり、付与されるポイントも下がるという不具合がある。
【０００６】
本発明は上記のような実情に鑑みてなされたもので、その目的とするところは、ポイントサービスの個々の参加者に対して適切な処理を行ない、より多くの参加者に満足していただけるようなサービス環境を実現することが可能な情報処理装置、情報処理方法及びプログラムを提供することにある。
【課題を解決するための手段】
【０００７】
本発明の一態様は、ポイントに応じて会員に複数のサービスを選択的に提供する情報処理装置であって、ポイントが所定の条件になるまでの期間を取得する取得手段と、上記取得手段で取得した期間に基づいて当該会員に提供するサービスの内容を切換えるサービス決定手段と、を備えることを特徴とする。
【発明の効果】
【０００８】
本発明によれば、ポイントサービスの個々の参加者に対して適切な処理を行ない、より多くの参加者に満足していただけるようなサービス環境を実現することが可能となる。
【図面の簡単な説明】
【０００９】
【図１】本発明の一実施形態に係るサイネージシステム全体の接続構成を示す図。
【図２】同実施形態に係るサイネージ装置の外観構成を示す斜視図。
【図３】同実施形態に係るサイネージ装置の電子回路の機能構成を示すブロック図。
【図４】同実施形態に係る事前にサーバに登録するサービス基本テーブルの登録内容の例を示す図。
【図５】同実施形態に係る事前にサーバに登録する達成機関別サービステーブルの登録内容の例を示す図。
【図６】同実施形態に係る顧客の来店に伴うスタンプ押印に対応した処理内容を示すフローチャート
【図７】同実施形態に係るサーバに記録されるユーザ別スタンプテーブルの一部を示す図。
【発明を実施するための形態】
【００１０】
以下、ポイントサービスの一種であるスタンプサービスを店舗で実施するシステムに本発明を適用した場合の一実施形態について、図面を参照して説明する。
【００１１】
図１は、同システム全体の接続構成を示す図である。店舗内の入口付近を含む複数箇所に設置されたサイネージ装置１０，１０，‥‥が、無線ＬＡＮを含むネットワークＮＷを介して、スタンプ管理サーバＳＶと接続される。
【００１２】
合わせて、例えば店舗の入口付近にはプリンタＰＲが設置され、スタンプが所定数に達した顧客に対してクーポンを印刷、発行する。
【００１３】
上記スタンプ管理サーバＳＶは、スタンプサービスに関する各種一括管理するもので、後述するスタンプ最大数、達成期間別サービステーブル、ユーザ別スタンプテーブル等を記憶している。
【００１４】
図２は、上記サイネージ装置１０の外観構成を示す斜視図である。サイネージ装置１０はプロジェクタ技術を用いた電子マネキンであり、装置筐体１０Ａの上面前端側に、交換可能なサイネージボードＳＢが立設される。このサイネージボードＳＢは、サイネージ装置１０の本来は矩形の投影可能領域内に収まるように設置された、任意形状を有する半透過板状の構成を有する。
【００１５】
サイネージボードＳＢは、装置筐体１０Ａの上面に設けられた、図示しないリアプロジェクション方式の投影レンズから出射された光像が背面側から投影されることで、例えば図示するような画像を表示する。
【００１６】
このサイネージボードＳＢの下部には複数、ここでは４個の操作ボタンＢ１〜Ｂ４を合わせて投影しており、当該ボタン中のいずれかを閲覧者がタッチ操作した場合、ボード取付け基部に配列された、それぞれが指向性を有するライン状の図示しない赤外線センサアレイにより当該操作位置が検知可能となっている。
【００１７】
さらに装置筐体１０Ａの前面には、このサイネージ装置１０の前面側の環境を撮影するための広角光学系の撮像部ＩＭと、例えばＦｅｌｉＣａ（登録商標）技術を用い、顧客が所持するこの店舗のスタンプカードであるＮＦＣ（Ｎｅａｒ  Ｆｉｅｌｄ  Ｃｏｍｍｕｎｉｃａｔｉｏｎ）カードを近接してスタンプ情報の読出し及び書込みを行なうためのＮＦＣリーダ／ライタＲＷとを備える。
【００１８】
次に図３によりサイネージ装置１０の主として電子回路の機能構成を説明する。コンテンツメモリ２０は、複数のコンテンツデータを記憶する。このコンテンツメモリ２０が記憶するコンテンツデータはいずれも、動画像データと音データから構成される。コンテンツデータ中の動画像データは、後述するＣＰＵ３２により読出され、システムバスＢＳを介して投影画像駆動部２１に送られる。
【００１９】
上記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００２０】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２１】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。
【００２２】
光源部２３が有するＬＥＤは、広義でのＬＥＤとして、ＬＤ（半導体レーザ）や有機ＥＬ素子を含むものとしても良い。この光源部２３からの原色光が、ミラー２４で反射して上記マイクロミラー素子２２に照射される。
【００２３】
そして、マイクロミラー素子２２での反射光で光像が形成され、形成された光像が投影レンズ部２５を介して上記サイネージボードＳＢの背面に投射される。
【００２４】
上記撮像部ＩＭは、サイネージ装置１０の正面方向を向いた広角系の撮影レンズ部２７、及びこの撮影レンズ部２７の焦点位置に配設された固体撮像素子であるＣＭＯＳイメージセンサ２８を含む。
【００２５】
ＣＭＯＳイメージセンサ２８で得られる画像信号は、Ａ／Ｄ変換器２９でデジタル化された後、撮影画像処理部３０に送られる。
【００２６】
この撮影画像処理部３０は、上記ＣＭＯＳイメージセンサ２８を走査駆動して撮影動作を実行させ、撮影により得た画像データをデータファイル化して、後述するＣＰＵ３２に送出する。
【００２７】
また上記ＮＦＣリーダ／ライタＲＷもシステムバスＢＳを介してＣＰＵ３２と接続される。
【００２８】
上記各回路の動作すべてをＣＰＵ３２が制御する。このＣＰＵ３２は、メインメモリ３３及びプログラムメモリ３４と直接接続される。メインメモリ３３は、例えばＳＲＡＭで構成され、ＣＰＵ３２のワークメモリとして機能する。プログラムメモリ３４は、電気的書換可能な不揮発性メモリ、例えばフラッシュＲＯＭで構成され、ＣＰＵ３２が実行する動作プログラムや各種定型データ等を記憶する。
【００２９】
ＣＰＵ３２は、上記プログラムメモリ３４に記憶されている動作プログラムや定型データ等を読出し、メインメモリ３３に展開して記憶させた上で当該プログラムを実行することにより、このサイネージ装置１０を統括して制御する。
【００３０】
上記ＣＰＵ３２は、操作部３５からの操作信号に応じて各種投影動作を実行する。この操作部３５は、サイネージ装置１０の本体に備える、電源キーを含むいくつかの操作キーのキー操作信号、または上記サイネージボードＳＢの一部に仮想的に投影する上記操作ボタンＢ１〜Ｂ４への操作を検出する、上記した赤外線センサアレイからの検出信号を受付け、受付けた操作に応じた信号を上記ＣＰＵ３２へ送出する。
【００３１】
上記ＣＰＵ３２はさらに、上記システムバスＢＳを介して音処理部３６、無線ＬＡＮインタフェース（Ｉ／Ｆ）３８と接続される。  
音処理部３６は、ＰＣＭ音源等の音源回路を備え、投影動作時に上記コンテンツメモリ２０から読出されるコンテンツデータ中の音データをアナログ化し、スピーカ部３７を駆動して放音させ、あるいは必要によりビープ音等を発生させる。
【００３２】
無線ＬＡＮインタフェース３８は、無線ＬＡＮアンテナ３９を介して図示しない最寄りの無線ＬＡＮルータを介して上記ネットワークＮＷと接続し、データの送受を行なうもので、上記図１のスタンプ管理サーバＳＶと交信する。
【００３３】
次に上記実施形態の動作について説明する。  
サイネージ装置１０において、ＣＰＵ３２がプログラムメモリ３４から読出し、メインメモリ３３に展開した上で実行する動作プログラムや定型データ等は、サイネージ装置１０が製品として工場から出荷された当時に予めプログラムメモリ３４に記憶されていたもののみならず、サイネージ装置１０が店舗等に設置された時点でも、ネットワークＮＷを介して適宜バージョンアップ等の処理により更新記憶された内容を含む。
【００３４】
なおスタンプ管理サーバＳＶには、予め店舗スタッフによりサービス基本テーブルと、達成機関別サービステーブルとが登録されているものとする。
【００３５】
図４は、スタンプ管理サーバＳＶに登録されるサービス基本テーブルの内容を例示する図である。このサービス基本テーブルには、サービス識別コードと最大スタンプ数とを関連付けて複数登録可能となる。ここでは例えば、サービス識別コード「０００１」のサービスが、最大スタンプ数「１０」と関連付けて登録されていることが分かる。
【００３６】
図５は、上記サービス識別コード「０００１」のサービスに対応する達成機関別サービステーブルの登録内容の例を示す。この達成機関別サービステーブルは、サービス識別コードに関連付けて達成期間とそれに対応したサービス内容とを登録する。同図では、サービス識別コード「０００１」のサービスに対応し、４段階の達成期間毎に異なるサービス内容を定義して登録している。
【００３７】
図６は、店舗に設置された各サイネージ装置１０，１０，‥‥がそれぞれ実行する、顧客の来店に伴うスタンプ押下げに対応した処理内容を示すフローチャートである。
【００３８】
その処理当初にＣＰＵ３２は、ＮＦＣリーダ／ライタＲＷでこの店舗のスタンプカードであるＮＦＣカードの近接があるか否かを判断する（ステップＳ１０１）。
【００３９】
ここでＮＦＣカードの近接がないと判断した場合（ステップＳ１０１のＮｏ）、ＣＰＵ３２は再び上記ステップＳ１０１の処理に戻る。
【００４０】
こうしてステップＳ１０１の処理を繰返し実行しながら、ＣＰＵ３２はこの店舗のスタンプカードであるＮＦＣカードの近接があるのを待機する。
【００４１】
上記ステップＳ１０１において、この店舗のスタンプカードであるＮＦＣカードの近接が合ったと判断した場合（ステップＳ１０１のＹｅｓ）、ＣＰＵ３２はそのＮＦＣカードからユーザＩＤを読出し、読出したユーザＩＤに基づいて、ネットワークＮＷを介して上記スタンプ管理サーバＳＶ側にアクセスする。そして、スタンプ管理サーバＳＶに登録されているユーザ別スタンプテーブルを検索し、そのユーザＩＤが参加しているサービス識別のスタンプ数を取得して、その数を「＋１」更新設定させる（ステップＳ１０２）。
【００４２】
図７は、スタンプ管理サーバＳＶに登録されているユーザ別スタンプテーブルの一部を示すもので、ユーザＩＤ「００００００００１」のユーザがサービス識別コード「０００１」のサービスに参加していること、当該サービスの初回押印日時が「２０１４(年)／１２（月）／２５(日)  １０(時)：００(分)：００(秒)」であり、上記スタンプ数の更新設定により、スタンプ数が「９」から最大値「１０」になったことを例示している。
【００４３】
上記ステップＳ１０２でスタンプ管理サーバＳＶ側の当該ユーザのスタンプ数を更新設定する処理後、ＣＰＵ３２はこの更新設定したスタンプ数とサービス識別コードにより上記図４で示したサービス基本テーブルを参照して、更新設定したスタンプ数が予め設定された最大スタンプ数となったか否かにより、仮想上のスタンプ帳への押印が満了したか否かを判断する（ステップＳ１０３）。
【００４４】
ここで更新設定したスタンプ数が未だ予め設定された最大スタンプ数となっておらず、仮想上のスタンプ帳への押印が満了していないと判断した場合（ステップＳ１０３のＮｏ）、ＣＰＵ３２は当該顧客に今回の来店を感謝し、後日にもさらなる来店を促すようなコンテンツデータをコンテンツメモリ２０から読出し、当該コンテンツを構成する動画像をサイネージボードＳＢで投影させると共に、対応する音声をスピーカ部３７より拡声出力させた上で（ステップＳ１１２）、次の顧客に対する処理に備えるべく、上記ステップＳ１０１からの処理に戻る。
【００４５】
また上記ステップＳ１０３において、更新設定したスタンプ数が予め設定された最大スタンプ数となり、仮想上のスタンプ帳への押印が満了したと判断した場合（ステップＳ１０３のＹｅｓ）、ＣＰＵ３２はスタンプ管理サーバＳＶに対して上記図５で示したサービス識別コードに対応する達成期間とサービス内容により、当該サービスの初回押印日時からどの達成期間に該当するのかを確認する（ステップＳ１０４）。
【００４６】
ここでまずＣＰＵ３２は、達成期間が７日以内であるかどうかを判断する（ステップＳ１０５）。７日以内であると判断した場合（ステップＳ１０５のＹｅｓ）、ＣＰＵ３２は上記達成機関別サービステーブルにしたがって、サービス内容であるコーヒー無料券の画像データをスタンプ管理サーバＳＶから取得し、店舗内のプリンタＰＲにより当該画像データを用いた当該ユーザ専用のクーポンをプリントアウトさせた上で（ステップＳ１０６）、次の顧客に対する処理に備えるべく、上記ステップＳ１０１からの処理に戻る。
【００４７】
この場合、合わせてＣＰＵ３２は、当該顧客にコーヒー無料券のクーポンを発行してプリンタＰＲで出力したことを示すコンテンツデータをコンテンツメモリ２０から読出し、当該コンテンツを構成する動画像をサイネージボードＳＢで投影させると共に、対応する音声をスピーカ部３７より拡声出力させてユーザに報知する。
【００４８】
また上記ステップＳ１０５において、達成期間が７日以内ではないと判断した場合（ステップＳ１０５のＮｏ）、ＣＰＵ３２は次に達成期間が３０日以内であるかどうかを判断する（ステップＳ１０７）。
【００４９】
３０日以内であると判断した場合（ステップＳ１０７のＹｅｓ）、ＣＰＵ３２は上記達成機関別サービステーブルにしたがって、サービス内容である１００円割引券の画像データをスタンプ管理サーバＳＶから取得し、店舗内のプリンタＰＲにより当該画像データを用いた当該ユーザ専用のクーポンをプリントアウトさせた上で（ステップＳ１０８）、次の顧客に対する処理に備えるべく、上記ステップＳ１０１からの処理に戻る。
【００５０】
この場合、合わせてＣＰＵ３２は、当該顧客に１００円割引券のクーポンを発行してプリンタＰＲで出力したことを示すコンテンツデータをコンテンツメモリ２０から読出し、当該コンテンツを構成する動画像をサイネージボードＳＢで投影させると共に、対応する音声をスピーカ部３７より拡声出力させてユーザに報知する。
【００５１】
さらに上記ステップＳ１０７において、達成期間が３０日以内ではないと判断した場合（ステップＳ１０７のＮｏ）、ＣＰＵ３２は次に達成期間が６０日以内であるかどうかを判断する（ステップＳ１０９）。
【００５２】
６０日以内であると判断した場合（ステップＳ１０９のＹｅｓ）、ＣＰＵ３２は上記達成機関別サービステーブルにしたがって、サービス内容である５０円割引券の画像データをスタンプ管理サーバＳＶから取得し、店舗内のプリンタＰＲにより当該画像データを用いた当該ユーザ専用のクーポンをプリントアウトさせた上で（ステップＳ１１０）、次の顧客に対する処理に備えるべく、上記ステップＳ１０１からの処理に戻る。
【００５３】
この場合、合わせてＣＰＵ３２は、当該顧客に５０円割引券のクーポンを発行してプリンタＰＲで出力したことを示すコンテンツデータをコンテンツメモリ２０から読出し、当該コンテンツを構成する動画像をサイネージボードＳＢで投影させると共に、対応する音声をスピーカ部３７より拡声出力させてユーザに報知する。
【００５４】
また上記ステップＳ１０９において、達成期間が６０日以内ではないと判断した場合（ステップＳ１０９のＮｏ）、ＣＰＵ３２は達成期間が６１日以上であるものとして、上記達成機関別サービステーブルにしたがい、サービス内容である１０円割引券の画像データをスタンプ管理サーバＳＶから取得し、店舗内のプリンタＰＲにより当該画像データを用いた当該ユーザ専用のクーポンをプリントアウトさせた上で（ステップＳ１１１）、次の顧客に対する処理に備えるべく、上記ステップＳ１０１からの処理に戻る。
【００５５】
この場合、合わせてＣＰＵ３２は、当該顧客に１０円割引券のクーポンを発行してプリンタＰＲで出力したことを示すコンテンツデータをコンテンツメモリ２０から読出し、当該コンテンツを構成する動画像をサイネージボードＳＢで投影させると共に、対応する音声をスピーカ部３７より拡声出力させてユーザに報知する。
【００５６】
このように、スタンプ数が予め設定された最大スタンプ数となったと判断した場合、さらにその達成期間の長短に応じて、発行するクーポンの内容を変化させるものとしたので、ユーザに対する訴求力をより高めることができる。
【００５７】
以上詳記した如く本実施形態によれば、ポイントサービスの個々の参加者に対して適切な処理を行ない、より多くの参加者に満足していただけるようなサービス環境を実現することが可能となる。
【００５８】
なお上記実施形態では説明しなかったが、会員に複数のグレードを設定し、グレード毎に達成期間やサービス内容等を異なるように設定すれば、より決め細かくユーザにとっての満足度も向上したサービスが提供できる。
【００５９】
さらに上記実施形態では、サービスの内容に応じたクーポンを発行するものとしたので、例えば専用のスマートフォン用アプリケーションプログラム等に頼らず、より多くのユーザに手軽に利用していただくことが可能なサービスを提供できる。
【００６０】
なお上記実施形態は、ＤＬＰ（登録商標）（Ｄｉｇｉｔａｌ  Ｌｉｇｈｔ  Ｐｒｏｃｅｓｓｉｎｇ）方式のプロジェクタ技術を用いたサイネージ装置１０，１０，‥‥を含むシステムに適用した場合の例について説明したが、本発明は画像を表示する装置の形式や全体のシステム構成等を限定するものではない。
【００６１】
また上記実施形態では、ネットワークＮＷを介してスタンプ管理サーバＳＶと接続されたサイネージ装置１０，１０，‥‥の側でサービス内容に関する判断等を行なう場合について説明したが、例えばサイネージ装置１０，１０，‥‥側は単なる入出力装置として、サービス内容等に関する処理判断はスタンプ管理サーバＳＶ側で行なうものとしても良い。
【００６２】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６３】
以下に、本願出願の当初の特許請求の範囲に記載された発明を付記する。  
［請求項１］  
ポイントに応じて会員に複数のサービスを選択的に提供する情報処理装置であって、  
ポイントが所定の条件になるまでの期間を取得する取得手段と、  
上記取得手段で取得した期間に基づいて当該会員に提供するサービスの内容を切換えるサービス決定手段と、  
を備えることを特徴とする情報処理装置。  
［請求項２］  
上記会員は複数段階のグレードに分類され、  
上記サービス決定手段は、上記取得手段で取得した期間と当該会員のグレードと基づいて提供するサービスの内容を切換える  
ことを特徴とする請求項１記載の情報処理装置。  
［請求項３］  
上記サービス決定手段で決定したサービスの内容に応じたクーポンを発行するクーポン発行手段をさらに備えることを特徴とする請求項１または２記載の情報処理装置。  
［請求項４］  
上記ポイントが所定の条件になるまでの期間は、上記ポイントが所定の回数付与されるまでの期間であることを特徴とする請求項１乃至３いずれか記載の情報処理装置。  
［請求項５］  
ポイントに応じて会員に複数のサービスを選択的に提供する装置の情報処理方法であって、  
ポイントが所定の条件となるまでの期間を取得する取得工程と、  
上記取得工程で取得した期間に基づいて当該会員に提供するサービスの内容を切換えるサービス決定工程と、  
を有することを特徴とする情報処理方法。  
［請求項６］  
ポイントに応じて会員に複数のサービスを選択的に提供する装置が内蔵するコンピュータが実行するプログラムであって、上記コンピュータを、  
ポイントが所定の条件となるまでの期間を取得する取得手段、及び  
上記取得手段で取得した期間に基づいて当該会員に提供するサービスの内容を切換えるサービス決定手段、  
として機能させることを特徴とするプログラム。  
【符号の説明】
【００６４】
１０…サイネージ装置、
１０Ａ…装置筐体、
２０…コンテンツメモリ、
２１…投影画像駆動部、
２２…マイクロミラー素子、
２３…光源部、
２４…ミラー、
２５…投影レンズ部、
２７…撮影レンズ部、
２８…ＣＭＯＳイメージセンサ、
２９…Ａ／Ｄ変換器、
３０…撮影画像処理部、
３２…ＣＰＵ、
３３…メインメモリ、
３４…プログラムメモリ、
３５…操作部、
３６…音処理部、
３７…スピーカ部、
３８…無線ＬＡＮインタフェース（Ｉ／Ｆ）、
３９…無線ＬＡＮアンテナ、
Ｂ１〜Ｂ４…操作ボタン、
ＢＳ…システムバス、
ＩＭ…撮像部、
ＮＷ…ネットワーク、
ＰＲ…プリンタ、
ＲＷ…ＮＦＣリーダ／ライタ、
ＳＢ…サイネージボード、
ＳＶ…スタンプ管理サーバ。
【図１】
2017041065.tif 000003
【図２】
2017041065.tif 000004
【図３】
2017041065.tif 000005
【図４】
2017041065.tif 000006
【図５】
2017041065.tif 000007
【図６】
2017041065.tif 000008
【図７】
2017041065.tif 000009